(57)【要約】【課題】円形状の金網体の表面に丸棒材からなる円環形状の外枠体がスポット溶接されてなるから、金網体と外枠体との固着を容易に行うことができ、製作コストの低減を図ることができ、かつ、外枠体が丸棒材からなるから、落とし蓋が電気炊飯器の釜内で移動したとき、釜内面への衝突による釜内面の損傷を防ぐことができる。【解決手段】円形状の金網体１の表面に丸棒材からなる円環形状の外枠体２がスポット溶接されてなり、又、円形状の金網体の表面及び裏面に丸棒材からなる同一円環形状の一対の外枠体がそれぞれスポット溶接されてなる。【選択図】図１
2006034616.tif 000002
【特許請求の範囲】
【請求項１】
円形状の金網体の表面に丸棒材からなる円環形状の外枠体がスポット溶接されてなることを特徴とする炊飯器用落とし蓋。
【請求項２】
円形状の金網体の表面及び裏面に丸棒材からなる同一円環形状の一対の外枠体がそれぞれスポット溶接されてなることを特徴とする炊飯器用落とし蓋。
【請求項３】
上記一対の外枠体の外周縁部により形成される周凹部に弾性リングを嵌着してなることを特徴とする請求項２記載の炊飯器用落とし蓋。
【請求項４】
上記金網体の中央部に取手体を溶接してなることを特徴とする請求項１〜３のいずれか１項に記載の炊飯器用落とし蓋。
【請求項５】
上記金網体及び外枠体にフッ素樹脂表面加工を施してなることを特徴とする請求項１〜４のいずれか１項に記載の炊飯器用落とし蓋。
【発明の詳細な説明】
【技術分野】
【０００１】
本発明は例えば電気炊飯器やガス炊飯器等の炊飯器に用いられる炊飯器用落とし蓋及びその製造方法に関するものである。
【背景技術】
【０００２】
従来この種の炊飯器用落とし蓋として、円形状の金網体の周縁に断面コ状の円形状の外枠体を縁巻込成形により固着してなる構造のものが知られている。
【特許文献１】実公平５−２０２５８号公報
【発明の開示】
【発明が解決しようとする課題】
【０００３】
しかしながらこの従来構造の場合、金網体と外枠体との固着が厄介であり、それだけ、製作コストの低減を図ることができないことがあるという不都合を有している。
【課題を解決するための手段】
【０００４】
本発明はこれらの不都合を解決することを目的とするもので、本発明のうちで、請求項１記載の発明は、円形状の金網体の表面に丸棒材からなる円環形状の外枠体がスポット溶接されてなることを特徴とする炊飯器用落とし蓋にある。
【０００５】
又、請求項２記載の発明は、円形状の金網体の表面及び裏面に丸棒材からなる同一円環形状の一対の外枠体がそれぞれスポット溶接されてなることを特徴とする炊飯器用落とし蓋にある。
【０００６】
又、請求項３記載の発明は、上記一対の外枠体の外周縁部により形成される周凹部に弾性リングを嵌着してなることを特徴とするものであり、又、請求項４記載の発明は、上記金網体の中央部に取手体を溶接してなることを特徴とするものであり、又、請求項５記載の発明は、上記金網体及び外枠体にフッ素樹脂表面加工を施してなることを特徴とするものである。
【発明の効果】
【０００７】
本発明は上述の如く、請求項１記載の発明にあっては、円形状の金網体の表面に丸棒材からなる円環形状の外枠体がスポット溶接されてなるから、金網体と外枠体との固着を容易に行うことができ、製作コストの低減を図ることができ、かつ、外枠体が丸棒材からなるから、落とし蓋が電気炊飯器の釜内で移動したとき、釜内面への衝突による釜内面の損傷を防ぐことができる。
【０００８】
又、請求項２記載の発明にあっては、円形状の金網体の表面及び裏面に丸棒材からなる同一円環形状の一対の外枠体がそれぞれスポット溶接されているから、使用時において、落とし蓋が電気炊飯器の釜内で移動したとき、角部の無い丸棒材からなる外枠体が衝突し、釜内面への衝突による釜内面の損傷を良好に防ぐことができる。
【０００９】
又、請求項３記載の発明にあっては、上記一対の外枠体の外周縁部により形成される周凹部にシリコンゴム等の弾性リングを嵌着してなるから、使用時において、落とし蓋が電気炊飯器の釜内で移動したとき、釜内面に弾性リングが衝突して釜内面の損傷を良好に防ぐことができ、又、請求項４記載の発明にあっては、上記金網体の中央部に取手体を溶接してなるから、落とし蓋の使用の利便性を高めることができ、又、請求項５記載の発明にあっては、上記金網体及び外枠体にフッ素樹脂表面加工を施してなるから、落とし蓋を衛生的に使用することができる。
【発明を実施するための最良の形態】
【００１０】
図１乃至図１０は本発明の実施の形態例を示し、図１乃至図８は第一形態例、図９は第二形態例、図１０は第三形態例である。
【００１１】
図１乃至図８の第一形態例において、１は金網体であって、この場合、線径０．５ｍｍ、ピッチ２．５ｍｍの鉄製金網が用いられ、この金網体１の裏面に線径２．５ｍｍの丸棒材からなる外径１７５ｍｍの円環形状の外枠体２がスポット溶接され、金網体１の中央部に線径２ｍｍの丸棒材からなる鉄製の取手体３がスポット溶接され、この金網体１、外枠体２及び取手体３にフッ素樹脂表面加工Ｆが施され、落とし蓋Ｍを製造するようにしている。
【００１２】
この場合の製造手順は、先ず、図４の如く、定寸切断した金網体１を用意し、次いで、図５の如く、鉄製丸棒材を円環形状に折曲して突き合わせ端部を溶接してなる円環形状の外枠体２を金網体１の表面にスポット溶接し、次いで、図６の如く、金網体１を外枠体２の外周縁に沿って切断し、次いで、図７の如く、金網体１の中央部に丸棒材からなる鉄製の取手体３をスポット溶接し、次いで、洗浄後、この金網体１、外枠体２及び取手体３にフッ素樹脂表面加工Ｆを施すようにしている。
【００１３】
この実施の第一形態例は上記構成であるから、例えば、図８の如く、電気炊飯器Ｋの釜Ｇ内に入れた米Ｄ上に外枠体２を下にして落とし蓋Ｍを載置し、この状態で炊飯することになり、落とし蓋Ｍの存在により、加熱された水の熱により金網体１が加熱され、この加熱された金網体１の熱が下方の米Ｄに放熱され、金網体１は蒸気を上方に逃がし、これら作用により良好な炊飯作用がなされ、美味しい米飯を炊くことができる。
【００１４】
この際、上記落とし蓋Ｍは、円形状の金網体１の表面に丸棒材からなる円環形状の外枠体２がスポット溶接されてなるから、金網体１と外枠体２との固着を容易に行うことができ、製作コストの低減を図ることができ、かつ、外枠体２が丸棒材からなるから、落とし蓋Ｍが電気炊飯器Ｋの釜Ｇ内で移動したとき、、釜Ｇ内面への衝突による釜Ｇ内面の損傷を防ぐことができる。
【００１５】
又、この場合、上記金網体１の中央部に取手体３を溶接してなるから、落とし蓋Ｍの使用の利便性を高めることができ、又、この場合、上記金網体１及び外枠体２にフッ素樹脂表面加工Ｆを施してなるから、落とし蓋Ｍを衛生的に使用することができる。
【００１６】
図９の第二形態例は別例構造を示し、この場合、円形状の金網体１の表面及び裏面に丸棒材からなる同一円環形状の一対の外枠体２・２がそれぞれスポット溶接されている。
【００１７】
この第二形態例にあっては、上記第一形態例と同様な作用効果を得ることができると共に円形状の金網体１の表面及び裏面に丸棒材からなる外枠体２・２がそれぞれスポット溶接されているから、使用時において、落とし蓋Ｍが電気炊飯器Ｋの釜Ｇ内で移動したとき、角部の無い丸棒材からなる外枠体２・２が衝突し、釜Ｇ内面への衝突による釜Ｇ内面の損傷を良好に防ぐことができる。
【００１８】
図１０の第三形態例は別例構造を示し、この場合、上記一対の外枠体２・２の外周縁部により形成される周凹部Ｅに線径２ｍｍのシリコンゴム等の弾性リング４を嵌着して構成している。
【００１９】
この第三形態例にあっても、上記第一形態例と同様な作用効果を得ることができると共に上記一対の外枠体２・２の外周縁部により形成される周凹部Ｅにシリコンゴム等の弾性リング４を嵌着してなるから、使用時において、落とし蓋Ｍが電気炊飯器Ｋの釜Ｇ内で移動したとき、釜Ｇ内面に弾性リング４が衝突して釜Ｇ内面の損傷を良好に防ぐことができる。
【００２０】
尚、本発明は上記実施の形態例に限られるものではなく、金網体１、外枠体２、取手体３、弾性リング４の構造や形態、材質、表面加工等は適宜変更して設計される。
【００２１】
以上、所期の目的を充分達成することができる。
【図面の簡単な説明】
【００２２】
【図１】本発明の実施の第一形態例の全体斜視図である。
【図２】本発明の実施の第一形態例の側断面図である。
【図３】本発明の実施の第一形態例の部分拡大縦断面図である。
【図４】本発明の実施の第一形態例の製造工程説明図である。
【図５】本発明の実施の第一形態例の製造工程説明図である。
【図６】本発明の実施の第一形態例の製造工程説明図である。
【図７】本発明の実施の第一形態例の製造工程説明図である。
【図８】本発明の実施の第一形態例の使用状態図である。
【図９】本発明の実施の第二形態例の部分拡大縦断面図である。
【図１０】本発明の実施の第三形態例の部分拡大縦断面図である。
【符号の説明】
【００２３】
Ｍ    落とし蓋
Ｅ    周凹部
１    金網体
２    外枠体
３    取手体
４    弾性リング
【図１】
2006034616.tif 000003
【図２】
2006034616.tif 000004
【図３】
2006034616.tif 000005
【図４】
2006034616.tif 000006
【図５】
2006034616.tif 000007
【図６】
2006034616.tif 000008
【図７】
2006034616.tif 000009
【図８】
2006034616.tif 000010
【図９】
2006034616.tif 000011
【図１０】
2006034616.tif 000012